(57)【要約】【課題】筆管及びカッティングツールを提供する。【解決手段】本発明の毛筆１００の筆管１０は、収容設置槽１１、導引部１２を有する。収容設置槽１１は筆管１０の軸先１３に陥没状に設置される。収容設置槽１１は軸心線Ｘ、軸心線Ｘを軸心とする内周縁１１１を有する。収容設置槽１１の内周縁１１１は筆穂２０を粘着して接合できる。導引部１２は筆管１０の軸先１３に設置され、収容設置槽１１の軸心線Ｘの方向に平行に延伸し、カッティングツールを導引できる。カッティングツールは導引部１２に沿って移動し、カッティングツールは収容設置槽１１の内周縁１１１を破壊しない。これにより、導引部１２はカッティングツールに適切に対応して定位される。また、残余接着剤の除去時に、カッティングツールは導引部１２に導かれるため偏りは発生しない。さらに、収容設置槽１１の内周縁１１１は破壊されず、歪みや孔の広がりの状況は発生しない。【選択図】図２
2020157749.tif 000002
【特許請求の範囲】
【請求項１】
収容設置槽、導引部を有する毛筆の筆管であって、
前記収容設置槽は、前記筆管の軸先に陥没状に設置され、軸心線、及び前記軸心線を軸心とする内周縁を有し、前記内周縁は、筆穂を粘着して接合でき、
前記導引部は、前記筆管の前記軸先に設置され、しかも前記収容設置槽の前記軸心線に平行な方向に延伸し、カッティングツールを導引でき、これにより前記カッティングツールは前記導引部に沿って移動し、前記カッティングツールは前記収容設置槽の前記内周縁を破壊することはないことを特徴とする、筆管。
【請求項２】
前記導引部は、前記収容設置槽の前記軸心線に陥没状に設置され、同心円孔状を呈することを特徴とする、請求項１に記載の筆管。
【請求項３】
前記収容設置槽は、前記軸心線上に、第一軸長を有し、
前記導引部は、前記軸心線上に、第二軸長を有し、
前記第二軸長は、前記第一軸長より長いことを特徴とする、請求項２に記載の筆管。
【請求項４】
前記導引部の孔径は、前記収容設置槽の孔径より小さく、
前記収容設置槽は、前記導引部に隣接し、漸縮状の肩部を有し、しかも、前記導引部と前記収容設置槽は、一回の孔あけ加工時に、前記筆管の前記軸先に一緒に形成されることを特徴とする、請求項３に記載の筆管。
【請求項５】
請求項１に記載の筆管に使用されるカッティングツールであって、
円柱状を呈するブレードセクション、及び前記ブレードセクションの中心から軸方向に突出する円棒状の案内棒を有し、
前記導引部は、前記収容設置槽の前記軸心線に陥没状に設置され、同心円孔状を呈し、
前記案内棒が前記導引部に対応すると、前記ブレードセクションは前記収容設置槽に対応し、
前記収容設置槽は、前記軸心線上に、第一軸長を有し、
前記導引部は、前記軸心線上に、第二軸長を有し、
前記案内棒は、第三軸長を有し、
前記第二軸長は、前記第一軸長より長く、
前記第三軸長は、前記第二軸長より短いか等しく、前記第一軸長より長く、
前記ブレードセクションの外径は、前記収容設置槽の孔径に等しいことを特徴とする、カッティングツール。
【発明の詳細な説明】
【技術分野】
【０００１】
本発明は毛筆の筆管に関し、特に、筆穂を交換するために残余接着剤の除去が必要な筆管及び該筆管に使用されるカッティングツールに関する。
【背景技術】
【０００２】
毛筆は伝統的な筆記具の一つである。
書道は毛筆により、文字芸術と文化の含意を表す。
【０００３】
毛筆の構造は、毛筆管と筆穂の二部分に分けられる。
一人一人、文字を書く姿勢は異なり、洗浄後の保存方法も異なるため、筆穂が損耗され、文字を書く際の表現に影響を及ぼす。このため、筆穂を交換する必要がある。
【０００４】
一般の低廉な筆においては、筆穂がバラバラになったり損壊したりして正常に文字を書けなくなった時、通常は毛筆全体をそのまま廃棄し、別に新しい筆を買うだけである。
一方、高価な筆、或いはコレクション的価値、記念的価値がある筆においては、使用者は、古い筆穂を新しい筆穂に交換し、正常に文字を書く機能を筆に再び付与し、使用と愛蔵の目的を達成する。この場合、筆は消耗品ではなくなるため、筆穂の交換は重要な課題となる。
【０００５】
従来の毛筆の筆穂を交換するフローチャートを図１の１Ａ〜１Ｄに示す。通常は、毛筆１の毛筆管２は収容設置孔３を有し、筆穂４を収容設置孔３に接着している。
筆穂４を交換する時には、図１の１Ｂに示す通り、先ず筆穂４を毛筆管２から取り外す。
その際、収容設置孔３の孔壁上には、残余接着剤５が残りやすい。
図１の１Ｃに示す通り、一般に使用者は、カッター６を収容設置孔３内に挿入し、残余接着剤５を剥がし取った後、新しい筆穂４を収容設置孔３に接着する。
【０００６】
しかし、カッター６で残余接着剤５を剥がし取る過程では、力加減が不適当、或いは剥がし取る方法が誤っているために、収容設置孔３の孔が広がってしまい、或いは歪んでしまうといった状況が発生しやすい。
このとき、図１の１Ｄに示す通り、新しい筆穂４を収容設置孔３中に接着する時、収容設置孔３の孔が広がったために、筆穂４と内壁との間に間隙７が生じ、新しい筆穂４の接合度が低くなる。これが、文字を書く際の表現に悪影響を及ぼす。
同時に、収容設置孔３の孔が広がれば、孔壁は薄くなり、毛筆管２が裂損しやすくなる。
或いは、収容設置孔３が歪めば、筆穂４は毛筆管２の中心から傾いてしまい、これも使用者が文字を書く際の表現に悪影響を及ぼす。
さらに、これが貴重な毛筆管２であった場合には、カッター６で破壊したことで、その価値が失われてしまう。
従来の毛筆に関しては、例えば特許文献１に記載されている。
【先行技術文献】
【特許文献】
【０００７】
【特許文献１】特開２００５−５９４８９号公報
【発明の概要】
【発明が解決しようとする課題】
【０００８】
前記先行技術には、
１．収容設置孔の孔が広がることで新しい筆穂の接合度が低くなり、
２．孔壁が薄くなれば毛筆管が裂損しやすくなり、
３．或いは収容設置孔が歪むことで、筆穂が毛筆管の中心から傾いてしまい、
４．さらに貴重な毛筆管が損壊されれば、その価値が失われてしまう、
と言う欠点がある。
【課題を解決するための手段】
【０００９】
本発明は、毛筆の筆穂交換時に、筆管の導引部はカッティングツールに従って導かれ、収容設置槽の内周縁が破壊されて孔が広がることを回避でき、残余接着剤を効果的に剥がし取れ、新しい筆穂は歪まず、筆管に安定的に取り付けられる、毛筆の筆管及び該筆管に使用されるカッティングツールに関する。
【００１０】
本発明による毛筆の筆管は、収容設置槽、導引部を有する。
該収容設置槽は、筆管の軸先に陥没状に設置され、該収容設置槽は、軸心線、及び軸心線を軸心とする内周縁を有する。
該収容設置槽の内周縁は、筆穂を粘着して接合できる。
該導引部は、筆管の軸先に設置され、しかも収容設置槽の軸心線の方向に平行に延伸する。
該導引部は、カッティングツールを導引でき、これによりカッティングツールは導引部に沿って移動し、カッティングツールは収容設置槽の内周縁を破壊しない。
【００１１】
本発明の別種の実施形態中では、導引部は、収容設置槽の軸心線に陥没状に設置され、同心円孔状を呈する。
【００１２】
本発明の別種の実施形態中では、収容設置槽の軸心線上には、第一軸長を有し、導孔は、軸心線上に、第二軸長を有し、第二軸長は、第一軸長より長い。
【００１３】
本発明の別種の実施形態中では、導孔の孔径は収容設置槽の孔径より小さく、収容設置槽は導引部に隣接し、漸縮状の肩部を有し、しかも導引部と収容設置槽は一回の孔あけ加工時に、筆管の軸先に一緒に形成される。
【００１４】
本発明はさらに毛筆の筆管に使用されるカッティングツールを提供する。該カッティングツールは、ブレードセクション及びブレードセクション中心から軸方向に突出する円棒状の案内棒を有する。
導孔部は、収容設置槽の軸心線に陥没状に設置され、同心円孔状を呈する。
案内棒が導引部に対応すると、ブレードセクションは収容設置槽に対応する。
【００１５】
収容設置槽は、軸心線上に、第一軸長を有し、導孔は、軸心線上に、第二軸長を有し、第二軸長は、第一軸長より長い。
案内棒は、第三軸長を有し、第三軸長は、第二軸長より短いか等しく、第三軸長は、第一軸長より長い。
【００１６】
ブレードセクションの外径は、実質的に収容設置槽の孔径に等しい。
【００１７】
上記したように、筆管の導引部はカッティングツールの案内棒と適切に対応し、カッティングツールのブレードセクションが収容設置槽内の残余接着剤を剥がし取る時、案内棒は導引部により案内され、ブレードセクションは正しい位置に保持でき、偏りは発生しない。このため、収容設置槽の内周縁がカッティングツールに破壊され、孔が広がり、薄くなり、或いは歪んで、筆管の使用寿命に影響を及ぼす事態を回避できる。
【図面の簡単な説明】
【００１８】
【図１】従来の毛筆の筆穂を交換するプロセス及び構造を示すフローチャートである。１Ａに交換前の状態を、１Ｂに筆穂を取り外した状態を、１Ｃにカッターで残余接着剤を剥がし取る状態を、１Ｄに筆穂と内壁との間に間隙が生じて筆穂の接合度が低くなった状態を、それぞれ示す。
【図２】本発明の筆管と筆穂の組み合わせを模式的に示す斜視図である。
【図３】本発明のカッティングツールの外観を模式的に示す斜視図である。
【図４】本発明において毛筆の筆穂を交換するプロセス及び構造を示すフローチャートである。４Ａに筆穂を取り外した状態を、４Ｂ及び４Ｃにカッティングツールを利用して筆管の接着剤を除去する状態を、４Ｄに接着剤除去後に新しい筆穂を取り付けた状態を、それぞれ示す。
【発明を実施するための形態】
【００１９】
本文中で使用する『第一軸長』、『第二軸長』、『第三軸長』等の用語は、特定の順序或いは順位を示すものではなく、本発明を限定するものでもなく、相同な技術用語により表現される部材或いは操作を区別するためだけに用いられるものである。
【００２０】
（一実施形態）
図２、図３及び図４の４Ａ〜４Ｄに示す通り、本発明による毛筆１００の筆管１０には、筆穂２０が取り付けられて、文字を書くのに用いられる。
筆管１０は、収容設置槽１１と導引部１２を有する。
【００２１】
筆管１０は、円形の長い棒状で、使用者の握持に有利である。
筆管１０は、軸先１３を有し、収容設置槽１１と導孔部１２は、軸先１３に設置される。
【００２２】
収容設置槽１１は、筆管１０の軸先１３に陥没状に設置され、しかも収容設置槽１１は、軸心線Ｘ及び軸心線Ｘを軸心とする内周縁１１１を有する。
収容設置槽１１の内周縁１１１は、筆穂２０を粘着して接合でき、粘着後には文字を書くための毛筆１００が構成される（図２参照）。
本実施形態中では、収容設置槽１１は円形孔で、しかも軸心線Ｘ上には、第一軸長Ｌ１を有する。
【００２３】
導引部１２は、筆管１０の軸先１３に設置され、しかも導引部１２は、収容設置槽１１の軸心線Ｘの方向に平行に延伸する。
本実施形態中では、導引部１２は、収容設置槽１１の軸心線Ｘに陥没状に設置され、同心円孔状を呈する。
導引部１２の中心線と軸心線Ｘは共線であり、しかも導引部１２の孔径は、収容設置槽１１の孔径より小さい。
導引部１２は、軸心線Ｘ上に、第二軸長Ｌ２を有する。
第二軸長Ｌ２は、第一軸長Ｌ１より長い。
この他、収容設置槽１１は、導引部１２に隣接し、漸縮状の肩部１１２を有する。
【００２４】
収容設置槽１１と導引部１２は一回の孔あけ加工時に、筆管１０の軸先１３に一緒に形成される。
【００２５】
図３に示す通り、本発明はさらに、毛筆１００の筆管１０に用いるカッティングツール３０を有する。
カッティングツール３０は、ブレードセクション３１及び同軸設置の案内棒３２を有する。
ブレードセクション３１は概ね円柱状を呈し、収容設置槽１１に対応する。
案内棒３２は円棒状で、ブレードセクション３１中心から軸方向に突出し、導引部１２に対応する。
本実施形態中では、ブレードセクション３１の外径は、実質的に収容設置槽１１の孔径に等しい。
案内棒３２は、第三軸長Ｌ３を有する。
第三軸長Ｌ３は、第二軸長Ｌ２より短いか等しく、第三軸長Ｌ３は、第一軸長Ｌ１より長い。
しかも、案内棒３２とブレードセクション３１の間には斜錐部３３を有し、前述の肩部１１２に相対する。
【００２６】
図４の４Ａ〜４Ｄは、本発明において、毛筆の筆穂２０を取り外し、カッティングツール３０を利用して、筆管１０の残余接着剤４０を除去し、新しい筆穂２０ａを取り付ける様子を示すフローチャートである。
図４の４Ａに示す通り、毛筆１００の筆穂２０が損壊し、交換する必要が生じると、筆穂２０を筆管１０から取り外す。
この時、収容設置槽１１の内壁には、乾燥してしまった残余接着剤４０が残る。
図４の４Ｂに示す通り、筆管１０の軸心線Ｘ方向に沿って、カッティングツール３０を収容設置槽１１及び導引部１２に挿入する。
案内棒３２が導引部１２に対応すると、ブレードセクション３１は収容設置槽１１に対応する。
図４の４Ｃに示す通り、収容設置槽１１と導引部１２は共に軸心線Ｘ上に位置し、しかも導引部１２はカッティングツール３０の案内棒３２を導引し、案内の作用を提供する。このため、カッティングツール３０のブレードセクション３１が、軸心線Ｘにより、収容設置槽１１に相対して回転し、残余接着剤４０を剥がし取る時、ブレードセクション３１の回転中心は軸心線Ｘと重なり、或いは共線状態を維持し、偏ることはない。
こうして、収容設置槽１１の内周縁１１１が破壊され、収容設置槽１１が広がることを回避しながら、収容設置槽１２から残余接着剤４０を効果的に剥がし取る。
最後に、図４の４Ｄに示す通り、新しい筆穂２０ａを筆管１０の収容設置槽１２に接着すると、筆穂２０ａと筆管１０との軸心が一致し、使用者は正常に文字を書くことができる。
【００２７】
上記を総合すると、本発明は以下の長所を有する。
１．本発明の毛筆管１０の導引部１２は、カッティングツール３０の案内棒３２と対応し、カッティングツール３０のブレードセクション３１が収容設置槽１１内の残余接着剤４０を剥がし取る時、ブレードセクション３１が正しい位置に保持されるようにでき、偏りは発生しない。このため、収容設置槽１１の内周縁１１１を傷つけ、収容設置槽１１が広がったり歪んだりすることがなく、筆管１０の使用寿命に影響を及ぼすことがない。
２．本発明のカッティングツール３０のブレードセクション３１は、案内棒３２が導引部１２に適切に対応して定位されるため、ブレードセクション３１は収容設置槽１２における正しい位置に保持されることが可能となる。これにより、ブレードセクション３１が均一に回転して残余接着剤４０を剥がし取り、新筆穂２０ａが筆管１０に安定的に取り付けられるため、スムーズに文字を書ける状態を提供できる。
【００２８】
前述した本発明の実施形態は本発明を限定するものではなく、よって、本発明により保護される範囲は特許請求の範囲を基準とする。
【符号の説明】
【００２９】
１  毛筆（従来の構造）、
２  毛筆管（従来の構造）、
３  収容設置孔（従来の構造）、
４  筆穂（従来の構造）、
５  残余接着剤（従来の構造）、
６  カッター（従来の構造）、
７  間隙（従来の構造）、
１０  筆管、
１１  収容設置槽、
１１１  内周縁、
１１２  肩部、
１２  導引部、
１３  軸先、
２１  結合部、
２０  筆穂、
２０ａ  筆穂、
３０  カッティングツール、
３１  ブレードセクション、
３２  案内棒、
３３  斜錐部、
４０  残余接着剤、
１００  毛筆、
Ｌ１  第一軸長、
Ｌ２  第二軸長、
Ｌ３  第三軸長、
Ｘ  軸心線。
【図１】
2020157749.tif 000003
【図２】
2020157749.tif 000004
【図３】
2020157749.tif 000005
【図４】
2020157749.tif 000006
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
収容設置槽、導引部を有する毛筆の筆管であって、
前記収容設置槽は、前記筆管の軸先に陥没状に設置され、軸心線、及び前記軸心線を軸心とする内周縁を有し、前記内周縁は、筆穂を粘着して接合でき、
前記導引部は、前記筆管の前記軸先に設置され、しかも前記収容設置槽の前記軸心線に平行な方向に延伸し、カッティングツールを導引でき、これにより前記カッティングツールは前記導引部に沿って移動し、前記カッティングツールは前記収容設置槽の前記内周縁を破壊することはないことを特徴とする、筆管。
【請求項２】
前記導引部は、前記収容設置槽の前記軸心線に陥没状に設置され、同心円孔状を呈することを特徴とする、請求項１に記載の筆管。
【請求項３】
前記収容設置槽は、前記軸心線上に、第一軸長を有し、
前記導引部は、前記軸心線上に、第二軸長を有し、
前記第二軸長は、前記第一軸長より長いことを特徴とする、請求項２に記載の筆管。
【請求項４】
前記導引部の孔径は、前記収容設置槽の孔径より小さく、
前記収容設置槽は、前記導引部に隣接し、漸縮状の肩部を有することを特徴とする、請求項３に記載の筆管。
【請求項５】
請求項１に記載の筆管に使用されるカッティングツールであって、
円柱状を呈するブレードセクション、及び前記ブレードセクションの中心から軸方向に突出する円棒状の案内棒を有し、
前記導引部は、前記収容設置槽の前記軸心線に陥没状に設置され、同心円孔状を呈し、
前記案内棒が前記導引部に対応すると、前記ブレードセクションは前記収容設置槽に対応し、
前記収容設置槽は、前記軸心線上に、第一軸長を有し、
前記導引部は、前記軸心線上に、第二軸長を有し、
前記案内棒は、第三軸長を有し、
前記第二軸長は、前記第一軸長より長く、
前記第三軸長は、前記第二軸長より短いか等しく、前記第一軸長より長く、
前記ブレードセクションの外径は、前記収容設置槽の孔径に等しいことを特徴とする、カッティングツール。
【手続補正２】
【補正対象書類名】明細書
【補正対象項目名】００１３
【補正方法】変更
【補正の内容】
【００１３】
本発明の別種の実施形態中では、導孔の孔径は収容設置槽の孔径より小さく、収容設置槽は導引部に隣接し、漸縮状の肩部を有する。